(57)【要約】バックルの飾り板部分と、ベルトを腰部に着用させるための部品を表面に一体的に設けたプレート部分とを別々に製作して、飾り板部分の裏面に、プレート部分の裏面を、接着剤等を介して、固着させることができるようにしたベルトバックルである。
2003077698.tif 000002
【特許請求の範囲】
【請求項１】
表面側に飾りを形成した飾り板と、ベルトを腰部に着用させるための部品を表面に一体的に設けたプレートとを別々に製作して、前記飾り板の裏面に前記プレートの裏面を、接着剤等を介して固着できるようにしたことを特徴としたベルトバックル。
【請求項２】
表面側が飾りにより形成され、裏面側がプレートを接着剤等により固着できるように形成された、金属板、木板、合成樹脂板、陶磁器板、七宝焼板、皮革板等の材料の１種、もしくは、２種以上から形成されていることを特徴とした飾り板。
【請求項３】
表面の一端に、ベルトの後端部を折り返して止めることができると共に、ベルトを先端部から挿入して通過させることができるようにしたリング状フレームを、回動可能に支持する支持部品を設け、他端に、ベルトのパンチ穴に入れて留めることができるようにしたタングを設けると共に、裏面を、飾り板の裏面に固着できるように形成したことを特徴としたプレート。
【請求項４】
表面の一端に、ベルトの後端部を着脱可能に噛んで連結することができるようにした歯板をもったベルト連結部品と、ベルトを先端部から挿入して通過させることができるようにしたベルトキャリヤ部品を設け、他端に、ベルトのパンチ穴に入れて留めることができるようにしたタングを設けると共に、裏面を、飾り板の裏面に固着できるように形成したことを特徴とするプレート。
【請求項５】
表面の一端に、ベルトの後端部を着脱可能に噛んで連結することができるようにした歯板をもったベルト止着部品と、ベルトを先端部から挿入して通過させてベルトを長さ方向の任意の位置で止着することができるようにしたつめ歯車をもったベルト止着部品を設け、他端に、ベルトを先端部から挿入して通過させることができるようにしたベルトキャリヤ部品を設けると共に、裏面を、飾り板の裏面に固着できるように形成したことを特徴としたプレート。
【発明の詳細な説明】
技術分野
本発明は、腰部に使用されるベルトバックルに関するものである。
背景技術
従来の腰部に使用されるベルトバックルは、金属製飾り板と、その裏面に一体的に取り付けられた、ベルトを腰部に着用させるための金具とで形成されて、このように一体化された製品が量産されて販売されていた。このため、同一デザインの飾り板を取りつけたバックルは安価に供給できる利点があったが、自分好みのデザインや自分だけのデザインの飾り板付きのバックルは、一品作として、専門業者に依頼するか、自作する必要があったが、前者は極めて高価になり、後者は特殊な鋳造やプレス等の技術と設備を必要とする欠点があった。また、飾り板を、金属板以外の木板、合成樹脂板、陶磁器板、七宝焼板、皮革板等で製作する場合は、飾り板にベルトの大きな張力がかかるため、これらの飾り板の裏面に前述したベルトを腰部に着用させるための金具を一体的に設けることは、構造強度や材質等の点で極めて困難であった。
そこで、本発明者は、ベルトを腰部に着用させるための部品を一体的に設けた小型の金属製、合成樹脂製等の構造強度の大きいプレートを、飾り板と別個に製作して、バックルを必要とするときは、このプレートを飾り板の裏面に固着できるようにすれば、飾り板は自分好みのデザインのものを使用できると共に、金属板以外の比較的強度の小さい各種の材料を使用することも可能になり、また、ベルトを腰部に着用させるための部品を設けたプレートは量産できることを見出し、本発明を完成した。
本発明は、自分好みのデザインを施したバックルの飾り板を、簡単容易に取り付けられるようにしたベルトバックルを提供するものである。
また、本発明は、バックルの飾り板を、各種の金属板は勿論、金属板以外の木板、合成樹脂板、陶磁器板、七宝焼板、皮革板等で製作できるようにしたベルトバックルを提供するものである。
さらに、本発明は、個人好みの強いバックルの飾り板部分と、飾り板の裏面に取りつけられる、ベルトを腰部に着用させるための部分とを、別個に製造及び販売できるようにすることにより、ベルトバックル業界に新しい技術的効果と経済的利益とをもたらすベルトバックルを提供するものである。
発明の開示
本発明のベルトバックルは、添付図に示すように、表面側に飾りを形成した飾り板２０、２０Ｂ、２０Ｃ又は２０Ｄと、ベルト３０、３０Ｃ又は３０Ｄを腰部に着用させるための部品を表面に一体的に設けたプレート１０、１０Ｂ、１０Ｃ又は１０Ｄとを、別々に製作して、前記飾り板２０、２０Ｂ、２０Ｃ又は２０Ｄの裏面２０２、２０２Ｂ、２０２Ｃ又は２０２Ｄに、前記プレート１０、１０Ｂ、１０Ｃ又は１０Ｄの裏面を、接着剤等を介して、固着できるようにしたものである。
また、本発明の飾り板２０、２０Ｂ、２０Ｃ又は２０Ｄは、添付図に示すように、表面側２０１、２０１Ｂ、２０１Ｃ又は２０１Ｄが飾りにより形成され、裏面側２０２、２０２Ｂ、２０２Ｃ又は２０２Ｄが、接着剤等により、プレート１０、１０Ｂ、１０Ｃ又は１０Ｄの裏面を固着できるように、金属板、木板、合成樹脂板、陶磁器板、七宝焼板等の材料の１種、もしくは、２種以上から形成されるものである。
また、本発明のプレートは、第１図乃至第７図に示すように、表面の一端１０１又は１０１Ｂに、ベルト３０の後端部３２を折り返して止めることができると共に、ベルト３０を先端部３１から挿入して通過させることができるようにしたリング状フレーム１１又は１１Ｂを回動可能に支持する支持部品１１１又は１１１Ｂを設け、他端１０２又は１０２Ｂに、ベルト３０のパンチ穴３１０に入れて留めることができるようにしたタング１２又は１２Ｂを設けると共に、裏面を飾り板２０又は２０Ｂの裏面２０２又は２０２Ｂに固着できるように形成したものである。
また、本発明のプレートは、第８図及び第９図に示すように、表面の一端１０１Ｃに、ベルト３０Ｃの後端部３２Ｃを着脱可能に噛んで連結することができるようにした歯板１１１１Ｃをもったベルト連結部品１１１Ｃと、ベルト３０Ｃを先端部３１Ｃから挿入して通過させることができるようにしたベルトキャリヤ部品１１２Ｃを設け、他端１０２Ｃに、ベルト３０Ｃのパンチ穴３１０Ｃに入れて留めることができるようにしたタング１２Ｃを設けると共に、裏面を、飾り板２０Ｃの裏面２０２Ｃに固着できるように形成したものである。
さらに、本発明のプレートは、第１０図及び第１１図に示すように、表面の一端１０１Ｄに、ベルト３０Ｄの後端部３２Ｄを着脱可能に噛んで連結することができるようにした歯板１１１１Ｄをもったベルト連結部品１１１Ｄと、ベルト３０Ｄを先端部３１Ｄから挿入して通過させてベルト３０Ｄを長さ方向の任意の位置で圧着することができるようにしたつめ歯車１１２１Ｄをもったベルト止着部品１１２Ｄを設け、他端１０２Ｄに、ベルト３０Ｄを先端部３１Ｄから挿入して通過させることができるようにしたベルトキャリヤ部品１２Ｄを設けると共に、裏面を、飾り板２０Ｄの裏面２０２Ｄに固着できるように形成したものである。
プレートは、ベルトを着用したとき、その張力に耐えられる金属板、又は、これに相当する強度を有する合成樹脂板を使用することが好ましい。
リング状フレームの支持部品は、リング状フレームを回動可能に支持すると共に、ベルトを着用したとき、リング状フレームと共にベルトの張力に耐えるように製作し、プレートに取り付ける必要がある。リング状フレームの支持部品をプレートに取り付けるには、ろう付け、溶着、ビス止め、螺着等により行われる。
タングは、金属製が好ましく、プレートへろう付け、溶着、ビス止め、螺着等により取りつけられるが、ベルトを着用したとき、その張力に耐えられるように製作し、プレートに取り付ける必要がある。
また、本発明において、ベルト連結部品は、ベルト後端部を連続山形状の金属歯板で着脱可能に噛んで、ベルトを着用したとき、その張力に耐えて止着して連結できるようにした公知の構造の部品である。
ベルト止着部品は、ベルトを挿入して通過させると共に、回動によりベルトを金属製つめ歯車又は合成樹脂製つめ歯車で押圧して、ベルトを着用したとき、その張力に耐えてベルトの長さ方向の任意の位置で着脱可能に止着できるようにした公知の構造の部品である。
ベルトキャリヤ部品は、ベルトを通過させるための公知の構造の部品である。
さらに、本発明において、プレートと飾り板との間は、エポキシ樹脂系等の強力な接着剤か、ろう付け、溶着又はビス止め等によって固着される。
発明を実施するための最良の形態
本発明の実施例１が第１図乃至第３図に示されている。
本発明実施例のベルトバックルは、表面側を彫刻し色塗りして飾りを形成した木板製の飾り板２０と、真鍮製プレート１０とからなっている。プレート１０は、表面の一端１０１に、真鍮製円筒状の軸支体１１１をろう付けし、軸支体１１１内に両端の接近した切断端１１０、１１０を有する真鍮針金製のリング状フレーム１１を回動可能に軸支すると共に、他端１０２に、ベルト３０のパンチ穴３１０に入れて留めるための先端球状の短棒体からなる真鍮製タング１２を直立するようにろう付けして設けている。
従って、本発明バックルのプレート１０の裏面を、飾り板２０の裏面２０２の浅い凹部（図示しない）の底面（図示しない）に埋め込むように、エポキシ樹脂系接着剤（図示しない）を介して固着すれば、木製飾り板２０付きのバックル全体が完成するので、リング状フレーム１１にベルト３０の後端部３２を折り返してホック３３で止着し、次いでベルトを通すキーパー３４をベルト３０に嵌め入れて、さらにホック３３で止着すれば、ベルト３０を備えた飾り板付きバックルが出来上がる。
着用するときは、ベルト３０の先端部３１をリング状フレーム１１に挿通して、ベルト３０のパンチ穴３１０にタング１２を挿入して止着すればよい。
本発明の実施例２が第４図乃至第７図に示されている。
本発明実施例のベルトバックルは、表面側を成形し色塗りして飾りを形成した合成樹脂板製の飾り板２０Ｂと、真鍮製プレート１０Ｂとからなっている。プレート１０Ｂは、真鍮針金製リング状フレーム１１Ｂとこれを支持する真鍮製軸支体１１１Ｂを除いて、本発明の実施例１と同じであるので、詳細説明は省略する。
リング状フレーム１１Ｂは、両端の接近した切断端１１０Ｂ、１１０Ｂを有し、両切断端１１０Ｂ、１１０Ｂを真鍮製円筒１１２Ｂに内嵌した針金状のものを短棒状の軸支体１１１Ｂの貫通孔１１１０Ｂに回動可能に軸支し、軸支体１１１Ｂはプレート１０Ｂの表面の一端１０１Ｂに螺着している。
また、ベルト３０のパンチ穴３１０に入れて留めるための先端球状の短棒体からなる真鍮製タング１２Ｂをプレート１０Ｂの表面の他端１０１Ｂに螺着している。
従って、本発明バックルのプレート１０Ｂの裏面を、飾り板２０Ｂの裏面２０２Ｂに成形した浅い凹部（図示しない）の底面（図示しない）に埋め込むように、エポキシ樹脂系接着剤（図示しない）を介して固着すれば、合成樹脂製飾り板２０Ｂ付きのバックル全体が完成するので、リング状フレーム１１Ｂにベルト３０の後端部３２を折り返してホック３３で止着し、ベルトを通すキーパー３４を挿入して、さらにホック３３で止着すれば、ベルト３０を備えた飾り板付きバックルが出来上がる。
着用するときは、ベルト３０の先端部３１をリング状フレーム１１Ｂに挿入して通過させて、ベルト３０のパンチ穴３１０にタング１２Ｂを挿入して止着すればよい。
本発明の実施例３が第８図及び第９図に示されている。
本発明実施例のベルトバックルは、表面側に七宝焼を形成した銀板製の飾り板２０Ｃと、ステンレス製プレート１０Ｃとからなっている。プレート１０Ｃは、表面の一端１０１Ｃに、ベルト３０Ｃの後端部３２Ｃを着脱可能に噛んで連結する歯板１１１１Ｃをもったステンレス板製ベルト連結部品１１１Ｃと、その下に連設したベルト３０Ｃを先端部３１Ｃから挿入して通過させることができるステンレス板製ベルトキャリヤ部品１１２Ｃを溶着し、プレート１０Ｃの表面の他端１０２Ｃに、ベルト３０Ｃのパンチ穴３１０Ｃに入れて留めるための先端球状の短棒体からなるステンレス製タング１２Ｃを直立するように溶着している。
従って、本発明バックルのプレート１０Ｃの裏面を、飾り板２０Ｃの裏面２０２Ｃに、ろう付け又は溶着すれば、七宝焼銀板製飾り板２０Ｃ付きのバックル全体が完成するので、ベルト連結部品１１１Ｃによりベルト３０Ｃの後端部３２Ｃを噛ませて連結すれば、ベルト３０Ｃを備えた飾り板付きバックルが出来上がる。
着用するときは、ベルト３０Ｃの先端部３１Ｃをベルト３０Ｃのパンチ穴３１０Ｃにタング１２Ｃを挿入して止着すると共に、先端部３１Ｃをベルトキャリヤ部品１１２Ｃに挿入して通過させればよい。
本発明の別の実施例４が第１０図及び第１１図に示されている。
本発明実施例のベルトバックルは、表面側に色模様と凹凸模様を焼付けた陶磁器板の飾り板２０Ｄとステンレス製プレート１０Ｄとからなっている。プレート１０Ｄの表面の一端１０１Ｄに、ベルト３０Ｄの後端部３２Ｄを着脱可能に噛んで連結する歯板１１１１Ｄをもったステンレス製ベルト連結部品１１１Ｄと、ベルト３０Ｄを先端部３１Ｄから挿入して通過させてベルト３０Ｄの長さ方向の任意の位置に止着できる合成樹脂製つめ歯車１１２１Ｄをもったステンレス板製ベルト止着部品１１２Ｄとを回動可能に軸支できるように、１対の支持板１１３、１１３を介して溶着し、他端１０２Ｄに、ベルト３０Ｄを挿入して通過させるステンレス板製ベルトキャリヤ部品１２Ｄを溶着している。
従って、本発明バックルのプレート１０Ｄの裏面を、飾り板２０Ｄの裏面２０２Ｄに、エポキシ樹脂系接着剤（図示しない）を介して固着すれば、陶磁器板製飾り板２０Ｄ付きのバックル全体が出来上がる。
着用するときは、ベルト３０Ｄの後端部３２Ｄをベルト連結部品１１１Ｄにより噛まして連結し、ベルト３０Ｄの先端部３１Ｄをベルトキャリヤ部品１２Ｄに挿入して通過させたのち、ベルト３０Ｄをベルト止着部品１１２Ｄのつめ歯車１１２１Ｄ下に挿入して通過させて、ベルト３０Ｄの長さ方向の任意の位置で、つめ歯車１１２１Ｄを回動させてベルトを圧着し止着すればよい。
産業上の利用可能性
本発明のベルトバックルによって、バックル飾り板は、それ自体の裏面にリング状フレーム、トング、ベルト連結部品、ベルトキャリヤ部品、ベルト止着部品等のベルトを長さ方向の任意の位置に止めて腰部に着用させる部品を設けなくてよく、また、バックル飾り板自体には、ベルトの張力が加わらないので、バックル飾り板は、各種の金属板は勿論、金属板以外の木板、合成樹脂板、陶磁器板、七宝焼板、皮革板等の比較的構造強度が小さい材料もバックル飾り板として使用できることになつた。
特に、飾り板を木製にした場合は、製作が容易な上に、改造、修理、色替え等が迅速にでき、また、軽量で大型製品の製作も簡単にできる利点がある。
また、本発明のベルトバックルのプレートは、構造簡単で製作容易な上に、バックル飾り板の大きさ、厚み、形状、表面の彫塑、材質等に関係なく、飾り板に比較してかなり小型の一定サイズに量産できるので、コストを大幅に引き下げることができる。
さらに、本発明により、バックルの飾り板は、一品作として註文製作又は自作して、量産された数種のバックルのプレートのなかから選択したプレートを固着すればよいことになり、ベルトバックル業界に画期的な技術的効果と経済的利益を与えることができる。
【図面の簡単な説明】
第１図は、本発明のプレートの実施例を示す斜視図である。
第２図は、第１図のプレートを飾り板の裏面に埋設して固着したバックルの一例の裏面側からみた斜視図である。
第３図は、第２図のバックルの使用状態の説明図である。
第４図は、本発明のプレートの別の実施例を示す斜視図である。
第５図は、第４図に使用されるタングの一例の斜視図である。
第６図は、第４図に使用されるリング状フレーム支持部品の一例の正面図である。
第７図は、第４図のプレートを使用したときのバックルの一例を示した使用状態の説明図である。
第８図は、本発明のプレートの別の実施例を示す斜視図である。
第９図は、第８図のプレートを使用したときのバックルの一例を示した使用状態の説明図である。
第１０図は、本発明のプレートのさらに別の実施例を示す斜視図である。
第１１図は、第１０図のプレートを使用したときのバックルの一例を示した使用状態の説明図である。
【図１】
2003077698.tif 000003
【図２】
2003077698.tif 000004
【図３】
2003077698.tif 000005
【図４】
2003077698.tif 000006
【図５】
2003077698.tif 000007
【図６】
2003077698.tif 000008
【図７】
2003077698.tif 000009
【図８】
2003077698.tif 000010
【図９】
2003077698.tif 000011
【図１０】
2003077698.tif 000012
【図１１】
2003077698.tif 000013
【手続補正書】
【提出日】平成15年9月3日(2003.9.3)
【手続補正１】
【補正対象書類名】特許請求の範囲
【補正対象項目名】特許請求の範囲
【補正方法】変更
【補正の内容】
【特許請求の範囲】
【請求項１】
（補正後）ベルトの後端部を折り返して止めることができると共に、ベルトをその先端部から挿入して通過させることができるようにして、ベルトを支持できるようにしたリング状フレームを回動可能に支持する支持部品と、ベルトの腰回り長さを調節するため、ベルトのパンチ穴に入れて留めることができるようにしたタングとを備えているベルトバックルであって、前記バックルの飾り板に前記支持部品と前記タングとを直接取りつけたならば、ベルトを腰部に着用したときのベルトの張力に耐えることができない弱さの飾り板の裏面に、前記リング状フレームの支持部品と前記タングとを取りつけて、ベルトの張力に耐えることができるようにした小形の金属製プレートを接着すると共に、前記金属製プレートが、その巾をベルト巾と同一又はそれより小さい巾に形成され、そのベルト方向の長さを前記飾り板のベルト方向の長さより短く形成され、前記リング状フレームの支持部品の巾を前記金属製プレートのプレート巾と同一又はそれより短く形成されて、前記金属製プレートが、ベルトを着用したとき、ベルト裏面に隠れるように形成されることを特徴としたベルトバックル。
【請求項２】
（補正後）前記飾り板が、彫刻刀で彫ることができる木板又は皮革板又はこれらに相当するもので形成されていることを特徴とする特許請求の範囲第１項記載のベルトバックル。
【請求項３】
（補正後）前記飾り板が、薄い金属板上の七宝焼から形成されていることを特徴とする特許請求の範囲第１項記載のベルトバックル。
【請求項４】
（補正後）前記飾り板が、薄い合成樹脂板から形成されていることを特徴とする特許請求の範囲第１項記載のベルトバックル。
【請求項５】
（補正後）前記飾り板が、薄い陶磁器板から形成されていることを特徴とする特許請求の範囲第１項記載のベルトバックル。
【請求項６】
（追加）前記飾り板が、薄い金属板から形成されていることを特徴とする特許請求の範囲第１項記載のベルトバックル。
【国際調査報告】
2003077698.tif 000014
2003077698.tif 000015
2003077698.tif 000016
2003077698.tif 000017
2003077698.tif 000018
2003077698.tif 000019